(57)【要約】【課題】  可発光線材の提供。【解決手段】  ケーブル、ケーブルの両末端に接続されたプラグで構成され、該プラグが透明材料で形成されたケース、ケース末端に設置された接続端子、プラグ内部にあって該接続端子の末端に嵌め込まれた発光体を具え、該ケーブルが透明な外被覆層、該外被覆層内に被覆されて二つの接続端子の間を接続して導通を形成する二組の導線、二組の導線の中間に位置しその両末端がそれぞれ発光体に接触する導光繊維を具えている。この可発光線材はコンピュータと周辺設備間の接続専用に使用され、信号が導線を通り流れる時に、発光体の発光によりケーブル内部の導光繊維により全体の線材が発光し、使用者に明確に接続線の導通状況を判断させる。【選択図】        図１
0003112832.tif 000002
【実用新案登録請求の範囲】
【請求項１】
ケーブル、ケーブルの両末端に接続されたプラグで構成され、
該プラグは、透明材料で形成されたケース、ケース末端に設置された接続端子、プラグ内部にあって該接続端子の末端に嵌め込まれた発光体を具え、
該ケーブルは、透明な外被覆層、該外被覆層内に被覆されて二つの接続端子の間を接続して導通を形成する二組の導線、二組の導線の中間に位置しその両末端がそれぞれ発光体に接触する導光繊維を具えたことを特徴とする、可発光線材。
【請求項２】
請求項１記載の可発光線材において、ケーブル両端のプラグが異なる規格形状とされたことを特徴とする、可発光線材。
【請求項３】
請求項１記載の可発光線材において、ケーブル末端のそのうち一つのプラグがコンピュータの任意の入力又は出力周辺設備のプラグ規格とされたことを特徴とする、可発光線材。
【考案の詳細な説明】
【技術分野】
【０００１】
本考案は一種の可発光線材に係り、特にコンピュータと各周辺設備の間の接続に供され、プラグ内部の発光体及びケーブル内部の導光繊維により全体の線材が発光して、信号導通状況の判断に供され、改良性と実用性を具えた、可発光線材に関する。
【背景技術】
【０００２】
コンピュータと周辺設備の間は信号線で接続する必要があり、信号と作業電源を導通させてこそ各周辺設備が正常に運転する。
【０００３】
周知のこのような信号線は、例えばパラレルポート或いはシリアルポートバス等があり、特殊なプラグ規格形状に制限され、接続操作上、ほとんどはプラグに付属の固定装置で差し込み時の安定性を補助する。一般に最もよく目にされる上述の固定装置には、固定ネジ、或いは弾性を有する係止装置があるが、接続操作上、不便であり、並びに接続部分に接続端子の接触不良があっても、プラグの外観上からは分からない。
【０００４】
新時代のＵＳＢケーブルは更に高い信号伝送速度と便利な接続操作を提供し、広く新時代の各種コンピュータ周辺設備に応用されている。しかし、周知のＵＳＢケーブルもやはり上述の接続端子接触不良時に、プラグ外観からは分からないという欠点がある。
【考案の開示】
【考案が解決しようとする課題】
【０００５】
本考案は部品と構造が簡単な可発光線材を提供し、有効に上述の欠点と問題を解決するものである。
【０００６】
即ち、本考案の主要な目的は、一種の可発光線材を提供することにあり、それはコンピュータと各周辺設備間の接続導通に供され、プラグ内部の発光体及びケーブル内部の導光繊維を通して全体の線材を発光させることができ、明確にケーブルの導通状況を判断でき、改良性と実用性を具えた、可発光線材であるものとする。
【０００７】
上述の目的を達成するため、本考案は以下の技術手段を採用している。
【０００８】
本考案の最良の実施例は、可発光線材がケーブル、及び該ケーブルの両末端に接続されたプラグで構成されている。
【０００９】
上述のプラグは、透明材料で形成されたケース、ケース末端に設置された接続端子、プラグ内部にあって該接続端子の末端に嵌め込まれた発光体を具えている。
【００１０】
上述のケーブルは透明な外被覆層、該外被覆層内に被覆されて両末端がそれぞれプラグの接続端子に接続されて電気の導通を形成する二組の導線、二組の導線の中間に位置し、両末端がそれぞれ発光体に接触する導光繊維、を具えている。
【００１１】
上述のプラグのケース及びケーブルの外被覆層は透明材料を一体射出成形して形成され、良好な透光性を具えている。プラグ内部の発光体が発光する時、ケーブル内部の導光繊維を通してケーブル全体が発光する。
【００１２】
上述の本考案の可発光線材は、コンピュータと周辺設備間の接続専用とされる。信号がこの線材により導通する時、透明ケース内部の発光体が発光し、ケーブル内部の導光繊維により全体の線材が発光し、使用者に明確にコンピュータと周辺設備間の導通状況を判断させる。
【００１３】
本考案の上述のプラグは、任意のコンピュータの入力或いは出力の周辺設備、例えばマウス、キーボード、プリンタ、ゲーム用ジョイスティック、タブレット、スキャナ、或いはビデオカメラ等のプラグ規格とされて、接続導通により発光表示する機能を提供する。
【課題を解決するための手段】
【００１４】
請求項１の考案は、ケーブル、ケーブルの両末端に接続されたプラグで構成され、
該プラグは、透明材料で形成されたケース、ケース末端に設置された接続端子、プラグ内部にあって該接続端子の末端に嵌め込まれた発光体を具え、
該ケーブルは、透明な外被覆層、該外被覆層内に被覆されて二つの接続端子の間を接続して導通を形成する二組の導線、二組の導線の中間に位置しその両末端がそれぞれ発光体に接触する導光繊維を具えたことを特徴とする、可発光線材としている。
請求項２の考案は、請求項１記載の可発光線材において、ケーブル両端のプラグが異なる規格形状とされたことを特徴とする、可発光線材としている。
請求項３の考案は、請求項１記載の可発光線材において、ケーブル末端のそのうち一つのプラグがコンピュータの任意の入力又は出力周辺設備のプラグ規格とされたことを特徴とする、可発光線材としている。
【考案の効果】
【００１５】
本考案の可発光線材は、コンピュータと各周辺設備の間の接続に供され、プラグ内部の発光体及びケーブル内部の導光繊維により全体の線材が発光して、信号導通状況の判断に供され、改良性と実用性を具えている。
【考案を実施するための最良の形態】
【００１６】
図１に示されるように、本考案の可発光線材は、ケーブル１と該ケーブル１０の両末端に接続されたプラグ１１で構成されている。
【００１７】
図１及び図２に示されるように、上述のプラグ１１は、透明材料で形成されたケース、ケース末端に設置された接続端子１２、プラグ１１内部にあって該接続端子１２の末端に嵌め込まれた発光体１４を具えている。
【００１８】
図２、３に示されるように、上述のケーブル１０はその線材本体が、透明な外被覆層１６、該外被覆層１６内に被覆されて両末端がそれぞれプラグ１１の接続端子１２に接続されて電気の導通を形成する二組の導線１３、二組の導線１３の中間に位置し、両末端がそれぞれ発光体１４に接触する導光繊維１５、を具えている。
【００１９】
上述の可発光線材は、コンピュータと周辺設備間の接続専用に使用され、信号がこの線材を流れて導通する時、プラグ１１内部の発光体１４が発光させられ、並びにケーブル内部の導光繊維１５を通して、ケーブル全体が発光し、これにより、使用者が容易にケーブルの導通状況を判断できる。
【００２０】
実際の応用上は、本考案は異なる実施例に形成可能である。例えば、上述のケーブル１０末端のそのうち一つのプラグ１１がコンピュータの入力或いは出力周辺設備の任意のプラグ規格に形成可能で、この周辺設備は、マウス、キーボード、プリンタ、ゲーム用ジョイスティック、タブレット、スキャナ、或いはビデオカメラ等とされ得て、この周辺設備がコンピュータと接続されて導通する時、そのケーブルの接続導通状態が発光表示され、その実用性が高められている。
【００２１】
本考案の可発光線材は、そのケーブル１０が異なる長さとされ得て、該プラグ１１も異なる規格の各種接続ポートプラグとされ得て、これにより本考案は異なる規格の周辺設備に応用可能であり、このためその適用範囲は広く経済効果に符合し、伝統的な同類の装置の欠点を改善する。
【００２２】
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００２３】
【図１】本考案の可発光線材の全体外観図である。
【図２】本考案の可発光線材のそのうち一つのプラグの拡大図である。
【図３】本考案の可発光線材のケーブル断面図である。
【符号の説明】
【００２４】
１０  ケーブル              １１  プラグ
１２  接続端子              １３  導線
１４  発光体                １５  導光繊維
１６  外被覆層
【図１】
0003112832.tif 000003
【図２】
0003112832.tif 000004
【図３】
0003112832.tif 000005